(57)【特許請求の範囲】
【請求項１】
携帯可能な情報通信端末に情報を配信する情報配信システムであって、
人間の感覚によって感知可能な経時的に変化するコンテンツを人間が直接的に感知可能な程度の空間広がりを有するコンテンツ提供エリアに向けて提供するコンテンツ提供装置と、
前記コンテンツ提供エリアと同程度のエリアに無線通信可能エリアが設定され、該無線通信可能エリアに存在している前記情報通信端末と無線通信し、該情報通信端末と通信ネットワークとの通信を中継する通信中継装置と、を備え、
前記情報通信端末は、前記無線通信可能エリアに入ったとき、前記通信中継装置との間の無線通信を介して前記無線通信可能エリアへの在圏を検知し、その無線通信可能エリアへの在圏の検知に基づいて、前記コンテンツ提供エリアに向けて前記コンテンツ提供装置によって現在提供されている提供中のコンテンツに関連するコンテンツ関連情報を取得するためのアプリケーションを起動し、その起動したアプリケーションによって前記提供中のコンテンツに関連するコンテンツ関連情報の受信及び出力を自動実行することを特徴とする情報配信システム。
【請求項２】
請求項１の情報配信システムにおいて、
前記通信中継装置を介して、前記コンテンツが提供されている前記無線通信可能エリアに存在している前記情報通信端末に前記コンテンツ関連情報を配信する情報配信サーバを、更に備え、
前記情報配信サーバは、前記コンテンツ提供装置から前記コンテンツ提供エリアに向けて提供されているコンテンツが変更されると、その変更された提供中のコンテンツに関連するコンテンツ関連情報を前記通信中継装置に送信し、
前記通信中継装置は、前記提供中のコンテンツに関連するコンテンツ関連情報を前記情報配信サーバから受信して保存し、
前記情報通信端末は、前記アプリケーションが起動すると、前記提供中のコンテンツに関連するコンテンツ関連情報を取得するための取得要求を前記通信中継装置に送信し、
前記通信中継装置は、前記情報通信端末から受信した取得要求に応じて、前記保存している提供中のコンテンツに関連するコンテンツ関連情報を前記情報通信端末に送信し、
前記情報通信端末は、前記提供中のコンテンツに関連するコンテンツ関連情報を前記通信中継装置から受信して出力することを特徴とする情報配信システム。
【請求項３】
請求項１の情報配信システムにおいて、
前記通信中継装置を介して、前記コンテンツが提供されている前記無線通信可能エリアに存在している前記情報通信端末に前記コンテンツ関連情報を配信する情報配信サーバを、更に備え、
前記情報配信サーバは、前記コンテンツ提供装置から前記コンテンツ提供エリアに向けて提供されているコンテンツが変更されると、その変更された提供中のコンテンツに関連するコンテンツ関連情報を取得して保存し、
前記情報通信端末は、前記アプリケーションが起動すると、前記提供中のコンテンツに関連するコンテンツ関連情報を取得するための取得要求を前記情報配信サーバに送信し、
前記情報配信サーバは、前記情報通信端末から受信した取得要求に応じて、前記保存している提供中のコンテンツに関連するコンテンツ関連情報を前記情報通信端末に送信し、
前記情報通信端末は、前記提供中のコンテンツに関連するコンテンツ関連情報を前記情報配信サーバから受信することを特徴とする情報配信システム。
【請求項４】
請求項２又は３の情報配信システムにおいて、
前記情報配信サーバは、前記コンテンツ提供装置によって提供されるコンテンツを管理するコンテンツ管理サーバを兼ねていることを特徴とする情報配信システム。
【請求項５】
請求項２又は３の情報配信システムにおいて、
前記情報配信サーバは、前記コンテンツ提供装置によって提供されるコンテンツを管理するコンテンツ管理サーバから、前記コンテンツ提供装置によって現在提供されている提供中のコンテンツの提供内容を識別可能なコンテンツ提供情報を取得し、その取得されたコンテンツ提供情報に基づいて前記コンテンツ関連情報を前記通信中継装置又は前記情報通信端末に送信することを特徴とする情報配信システム。
【請求項６】
請求項１の情報配信システムにおいて、
前記通信中継装置は、前記コンテンツ提供装置から前記コンテンツ提供エリアに向けて提供されているコンテンツが変更されると、その変更された提供中のコンテンツに関連するコンテンツ関連情報を取得して保存し、
前記情報通信端末は、前記アプリケーションが起動すると、前記提供中のコンテンツに関連するコンテンツ関連情報を取得するための取得要求を前記通信中継装置に送信し、
前記通信中継装置は、前記情報通信端末から受信した取得要求に応じて、前記保存している提供中のコンテンツに関連するコンテンツ関連情報を前記情報通信端末に送信し、
前記情報通信端末は、前記提供中のコンテンツに関連するコンテンツ関連情報を前記通信中継装置から受信することを特徴とする情報配信システム。
【請求項７】
請求項６の情報配信システムにおいて、
前記通信中継装置は、前記コンテンツが提供されている前記無線通信可能エリアに存在している前記情報通信端末に配信する前記コンテンツ関連情報を記憶し、そのコンテンツ関連情報を、前記コンテンツ提供装置によって現在提供されている提供中のコンテンツの提供内容の変化に応じて更新することを特徴とする情報配信システム。
【請求項８】
請求項６の情報配信システムにおいて、
前記コンテンツ提供装置から前記コンテンツ提供エリアに現在提供されている提供中のコンテンツの提供内容の変化に応じて、そのコンテンツ提供エリアに対応する無線通信可能エリアの通信中継装置に、前記提供中のコンテンツに関するコンテンツ関連情報を配信する管理サーバを、更に備えたことを特徴とする情報配信システム。
【請求項９】
請求項１乃至８のいずれかの情報配信システムにおいて、
前記コンテンツ関連情報は、前記提供中のコンテンツの詳細情報を取得可能な複数の詳細情報取得先のリンク情報を含むことを特徴とする情報配信システム。
【請求項１０】
請求項１乃至９のいずれかの情報配信システムにおいて、
前記コンテンツ提供装置は、有線放送を受信して出力する有線放送出力装置、テレビ放送を受信して出力する無線放送出力装置、交通機関の車両内若しくは車両の外壁面に設けられたディスプレイ、又は、屋外の公園やビル外壁面等の屋外に設置された屋外ディスプレイであることを特徴とする情報配信システム。
【請求項１１】
請求項１乃至１０のいずれかの情報配信システムにおいて、
前記通信中継装置は、移動体通信ネットワークに接続された小型基地局であることを特徴とする情報配信システム。
【請求項１２】
請求項１乃至１１のいずれかの情報配信システムにおいて、
前記情報通信端末の位置情報を管理する位置登録サーバを、更に備え、
前記情報通信端末は、前記無線通信可能エリアに入って在圏を検知したとき、前記通信中継装置を介して自己の位置情報を前記位置登録サーバに登録することを特徴とする情報配信システム。
【請求項１３】
携帯可能な情報通信端末であって、
人間の感覚によって感知可能な経時的に変化するコンテンツを人間が直接的に感知可能な程度の空間広がりを有するコンテンツ提供エリアと同程度のエリアに設定された無線通信可能エリアに入ったとき、その無線通信可能エリアの通信中継装置を介して前記無線通信可能エリアへの在圏を検知する手段と、
前記無線通信可能エリアへの在圏の検知に基づいて、前記コンテンツ提供エリアに向けてコンテンツ提供装置によって現在提供されている提供中の前記コンテンツに関連するコンテンツ関連情報を取得するためのアプリケーションを起動し、その起動したアプリケーションによって前記提供中のコンテンツに関連するコンテンツ関連情報の受信及び出力を自動実行する手段と、を備えたことを特徴とする情報通信端末。
【発明の詳細な説明】
【技術分野】
【０００１】
本発明は、携帯可能な情報通信端末及び情報配信システムに関する。
【背景技術】
【０００２】
従来、携帯可能な情報通信端末である携帯電話機を用いた情報アクセス方法として、Ｐｕｌｌ型の情報アクセス方法、Ｐｕｓｈ型の情報アクセス方法および位置ベースの情報アクセス方法が知られている。Ｐｕｌｌ型の情報アクセス方法は、利用者による携帯電話機の操作、例えば携帯電話機の入力画面で掲示板やＷＥＢページ等のＷＥＢサイトのＵＲＬを入力したり検索サイトでキーワードを入力して検索したりする操作により、通信ネットワーク上のサイトにアクセスして必要な情報を取得する方法である。また、Ｐｕｓｈ型の情報アクセス方法は、通信ネットワーク上のサーバや他の通信端末から配信されてくるメールマガジン等の配信情報に記載されているリンク先にアクセスして必要な情報を取得する方法である。また、位置ベースの情報アクセス方法は、携帯電話通信網側のサーバに所定のタイミングで登録される携帯電話機の位置登録情報や、携帯電話機に設けたＧＰＳ機能によって取得された位置情報に基づいて、携帯電話機の現在位置に関連した情報をメール等で配信する方法である。また、この位置ベースの情報アクセス方法としては、ＷＥＢページにアクセスするときに位置情報を携帯電話機からサーバに送信し、その位置情報に関連した周辺情報をサーバから携帯電話機に配信して表示する方法もある。
【発明の開示】
【発明が解決しようとする課題】
【０００３】
上記従来のＰｕｌｌ型の情報アクセス方法では、利用者が必要とする情報に正確にアクセスするにはある程度の専門能力が必要とされる。携帯電話機の場合は、入力キーなどがある操作部が小さいため、ＷＥＢサイトのＵＲＬを入力したり検索サイトでキーワードを入力して検索したりするときの操作が煩わしく不便である。
また、上記従来のＰｕｓｈ型の情報アクセス方法では、サーバから所定のタイミングで配信されてくる配信情報が必要とする情報ばかりとは限らない。すなわち、サーバからの配信情報と利用者が必要とする情報とのマッチング度合が悪い。また、あまりに頻繁に配信情報が送られてきても、それらの情報を閲覧できないばかりでなく不要な情報を削除するための手間もかかる。
また、上記従来の位置ベースの情報アクセス方法では、利用者の携帯電話機に配信される配信情報は、その携帯電話機の現在位置に関連した情報ではあるが、その利用者にとって、そのときに必ずしも必要な情報とは限らない。
【０００４】
本発明の目的は、情報通信端末の利用者が必要とする情報に簡易にアクセスすることができる新規な情報アクセスが可能になる、情報配信システム及び情報通信端末を提供することである。
【課題を解決するための手段】
【０００５】
本発明に係る情報配信システムは、携帯可能な情報通信端末に情報を配信する情報配信システムであって、人間の感覚によって感知可能な経時的に変化するコンテンツを所定のエリア限定のコンテンツ提供エリアに向けて提供するコンテンツ提供装置と、前記コンテンツ提供エリアと同程度のエリアに無線通信可能エリアが設定され、該無線通信可能エリアに存在している前記情報通信端末と無線通信し、該情報通信端末と通信ネットワークとの通信を中継する通信中継装置と、を備え、前記通信中継装置と前記情報通信端末との間の無線通信を介して、前記コンテンツ提供装置によって現在提供されている提供中のコンテンツに関連するコンテンツ関連情報を、そのコンテンツが提供されている前記無線通信可能エリアに存在している前記情報通信端末に配信するものである。
【０００６】
前記情報配信システムにおいて、前記通信中継装置を介して、前記コンテンツが提供されている前記無線通信可能エリアに存在している前記情報通信端末に前記コンテンツ関連情報を配信する情報配信サーバを、更に備えてもよい。
また、前記情報配信システムにおいて、前記情報配信サーバは、前記コンテンツが提供されている前記無線通信可能エリアに存在している前記情報通信端末に、前記コンテンツ関連情報の取得処理を開始させる処理開始要求を送信し、前記情報通信端末が前記処理開始要求を契機に当該情報配信サーバにアクセスしてきたとき、そのアクセスしてきた情報通信端末に前記コンテンツ関連情報を送信するように応答するものであってもよい。
また、前記情報配信システムにおいて、前記情報配信サーバは、前記コンテンツが提供されている前記無線通信可能エリアに存在していると判断した前記情報通信端末が当該情報配信サーバにアクセスしてきたとき、そのアクセスしてきた情報通信端末に前記コンテンツ関連情報を送信するように応答するものであってもよい。
また、前記情報配信システムにおいて、前記情報配信サーバは、前記コンテンツ提供装置から出力されるコンテンツを管理するコンテンツ管理サーバを兼ねてもよい。
また、前記情報配信システムにおいて、前記情報配信サーバは、前記コンテンツ提供装置によって提供されるコンテンツを管理するコンテンツ管理サーバから、前記コンテンツ提供装置によって現在提供されている提供中のコンテンツの提供内容を識別可能なコンテンツ提供情報を取得し、その取得されたコンテンツ提供情報に基づいて前記コンテンツ関連情報を前記情報通信端末に配信するものであってもよい。
また、前記情報配信システムにおいて、前記情報配信サーバは、前記通信中継装置を介して、前記コンテンツが提供されている前記無線通信可能エリアに存在している前記情報通信端末に、前記コンテンツ関連情報の取得に用いるアプリケーションを起動させるための起動要求を送信するものであってもよい。
【０００７】
また、前記情報配信システムにおいて、前記通信中継装置は、無線通信により、前記コンテンツが提供されている前記無線通信可能エリアに存在している前記情報通信端末に前記コンテンツ関連情報を配信するものであってもよい。
また、前記情報配信システムにおいて、前記通信中継装置は、前記コンテンツが提供されている前記無線通信可能エリアに存在している前記情報通信端末に、前記コンテンツ関連情報の取得処理を開始させる処理開始要求を送信し、前記情報通信端末が前記処理開始要求を契機に当該通信中継装置における所定のアクセスポイントにアクセスしてきたとき、そのアクセスしてきた情報通信端末に前記コンテンツ関連情報を送信するように応答するものであってもよい。
また、前記情報配信システムにおいて、前記通信中継装置は、前記コンテンツが提供されている前記無線通信可能エリアに存在していると判断した前記情報通信端末が当該通信中継装置における所定のアクセスポイントにアクセスしてきたとき、そのアクセスしてきた情報通信端末に前記コンテンツ関連情報を送信するように応答するものであってもよい。
また、前記情報配信システムにおいて、前記通信中継装置は、前記コンテンツが提供されている前記無線通信可能エリアに存在している前記情報通信端末に配信する前記コンテンツ関連情報を記憶し、そのコンテンツ関連情報を、前記コンテンツ提供装置によって現在提供されている提供中のコンテンツの提供内容の変化に応じて更新するものであってもよい。
また、前記情報配信システムにおいて、前記コンテンツ提供装置から前記コンテンツ提供エリアに現在提供されている提供中のコンテンツの提供内容の変化に応じて、そのコンテンツ提供エリアに対応する無線通信可能エリアの通信中継装置に、前記提供中のコンテンツに関するコンテンツ関連情報を配信する管理サーバを、更に備えてもよい。
また、前記情報配信システムにおいて、前記通信中継装置は、前記コンテンツが提供されている前記無線通信可能エリアに存在している前記情報通信端末に、前記コンテンツ関連情報の取得に用いるアプリケーションを起動させるための起動要求を送信するものであってもよい。
【０００８】
また、前記情報配信システムにおいて、前記コンテンツ関連情報は、前記提供中のコンテンツの詳細情報を取得可能な複数の詳細情報取得先のリンク情報を含むものであってもよい。
また、前記情報配信システムにおいて、前記情報配信サーバ又は前記通信中継装置は、前記コンテンツ関連情報を受信した前記情報通信端末が前記リンク情報に基づいて前記詳細情報取得先にアクセスしたとき、そのアクセスした前記詳細情報取得先の情報と、前記情報通信端末の識別情報又は前期情報通信端末の利用者の識別情報からなるアクセス元情報と、そのアクセスの日時情報とを取得し、その取得した前記詳細情報取得先の情報と前記アクセス元情報と前記アクセスの日時情報とを互いに関連付けたアクセス情報を保存するものであってもよい。
また、前記情報配信システムにおいて、前記情報配信サーバ又は前記通信中継装置は、前記アクセス情報に基づいて、前記情報通信端末に配信する前記コンテンツ関連情報における前記複数のリンク情報を変更するものであってもよい。
また、前記情報配信システムにおいて、前記コンテンツ関連情報は、前記提供中のコンテンツの詳細情報を取得するためのキーワードを入力可能なキーワード入力部を含むものであってもよい。
また、前記情報配信システムにおいて、前記情報配信サーバ又は前記通信中継装置は、前記コンテンツ関連情報を受信した前記情報通信端末が前記キーワード入力部で入力されたキーワードに基づいて前記詳細情報取得先にアクセスしたとき、その入力されたキーワードの情報を取得し、その取得したキーワードの情報を、前記コンテンツ関連情報のインデックスとして登録するものであってもよい。
【０００９】
また、前記情報配信システムにおいて、前記コンテンツ提供装置は、有線の通信回線を介して配信される楽曲又は映像のコンテンツを受信し、前記コンテンツ提供エリアに向けて該楽曲の音を出力するように又は該映像を表示するように該コンテンツを提供する有線放送出力装置であってよい。
また、前記情報配信システムにおいて、前記コンテンツ提供装置は、無線の通信回線を介して配信される楽曲又は映像のコンテンツを受信し、前記コンテンツ提供エリアに向けて該楽曲の音を出力するように又は該映像を表示するように該コンテンツを提供する無線放送出力装置であってもよい。
また、前記情報配信システムにおいて、前記コンテンツ提供装置は、有線又は無線の通信回線を介して配信される広告情報のコンテンツを受信し、前記コンテンツ提供エリアに向けて該広告情報の音を出力するように又は該広告情報の映像を表示するように該広告情報のコンテンツを出力する広告情報出力装置であってもよい。
また、前記情報配信システムにおいて、前記コンテンツ提供装置は、有線又は無線の通信回線を介して配信される地域情報のコンテンツを受信し、前記コンテンツ提供エリアに向けて該地域情報の音を出力するように又は該地域情報の映像を表示するように該地域情報のコンテンツを出力する地域関連情報出力装置であってもよい。
また、前記情報配信システムにおいて、前記コンテンツ提供装置及び前記通信中継装置は、車両に搭載してもよい。
【００１０】
前記情報配信システムにおいて、前記情報通信端末は、移動体通信ネットワークにおける移動体通信端末であり、前記通信中継装置は、前記移動体通信ネットワークにおける通常の移動体通信のセルよりも狭い無線通信可能エリアで前記移動体通信端末と無線通信可能な、いわゆるフェムト基地局等の「小型の基地局」、又はイーサーネット（登録商標）等のＬＡＮ（Local Area Network）の無線アクセスポイントとして使用され当該ＬＡＮの通信を中継する「無線ルータ装置」であってもよい。
【００１１】
本発明に係る情報配信サーバは、携帯可能な情報通信端末に情報を配信する情報配信サーバであって、人間の感覚によって感知可能な経時的に変化するコンテンツが提供されている所定のエリア限定のコンテンツ提供エリアと同程度のエリアに設定された無線通信可能エリアに存在している前記情報通信端末と、該無線通信可能エリアの通信中継装置を介して通信する通信手段と、前記通信中継装置を介して、前記コンテンツが提供されている前記無線通信可能エリアに存在している前記情報通信端末に、前記コンテンツ提供装置によって現在提供されている提供中のコンテンツに関連するコンテンツ関連情報を配信するコンテンツ関連情報配信手段と、を備える。
前記情報配信サーバにおいて、前記コンテンツが提供されている前記無線通信可能エリアに存在している前記情報通信端末に、前記コンテンツ関連情報の取得処理を開始させる処理開始要求を送信する処理開始要求送信手段を、更に備え、前記コンテンツ関連情報配信手段は、前記情報通信端末が前記処理開始要求を契機に当該情報配信サーバにアクセスしてきたとき、そのアクセスしてきた情報通信端末に前記コンテンツ関連情報を送信するように応答するものであってもよい。
また、前記情報配信サーバにおいて、前記コンテンツ関連情報配信手段は、前記コンテンツが提供されている前記無線通信可能エリアに存在していると判断した前記情報通信端末が当該情報配信サーバにアクセスしてきたとき、そのアクセスしてきた情報通信端末に前記コンテンツ関連情報を送信するように応答するものであってもよい。
また、前記情報配信サーバにおいて、前記コンテンツ提供装置から出力されるコンテンツを管理するコンテンツ管理サーバに兼用してもよい。
また、前記情報配信サーバにおいて、前記コンテンツ提供装置から出力されるコンテンツを管理するコンテンツ管理サーバから、前記コンテンツ提供装置によって現在提供されている提供中のコンテンツの内容を識別可能なコンテンツ提供情報を取得するコンテンツ提供情報取得手段を、更に備え、前記コンテンツ関連情報配信手段は、前記取得されたコンテンツ提供情報に基づいて、前記コンテンツ関連情報を前記情報通信端末に配信するものであってもよい。
また、前記情報配信サーバにおいて、前記通信中継装置を介して、前記コンテンツが提供されている前記無線通信可能エリアに存在している前記情報通信端末に、前記コンテンツ関連情報の取得に用いるアプリケーションを起動させるための起動要求を送信する起動要求送信手段を、更に備えてもよい。
前記情報配信サーバにおいて、前記コンテンツ関連情報は、前記提供中のコンテンツの詳細情報を取得可能な複数の詳細情報取得先のリンク情報を含むものであってもよい。
また、前記情報配信サーバにおいて、前記情報通信端末からのアクセスに関するアクセス情報を記憶するアクセス情報記憶手段と、前記コンテンツ関連情報を受信した前記情報通信端末が前記リンク情報に基づいて前記詳細情報取得先にアクセスしたとき、そのアクセスした前記詳細情報取得先の情報と、前記情報通信端末の識別情報又は前期情報通信端末の利用者の識別情報からなるアクセス元情報と、そのアクセスの日時情報とを取得するアクセス情報取得手段と、前記アクセス情報取得手段で取得した前記詳細情報取得先の情報と前記アクセス元情報と前記アクセスの日時情報とを互いに関連付けて前記アクセス情報記憶手段に保存するアクセス情報保存手段と、を更に備えてもよい。
また、前記情報配信サーバにおいて、前記アクセス情報に基づいて、前記情報通信端末に配信する前記コンテンツ関連情報における前記複数のリンク情報を変更するリンク情報変更手段を、更に備えてもよい。
【００１２】
本発明に係る通信中継装置は、携帯可能な情報通信端末と通信ネットワークとの間の通信を中継する通信中継装置であって、人間の感覚によって感知可能な経時的に変化するコンテンツが提供される所定のエリア限定のコンテンツ提供エリアと同程度のエリアに無線通信可能エリアが設定され、該無線通信可能エリアに存在している前記情報通信端末と通信ネットワークとの間の通信を中継する通信中継手段と、前記コンテンツ提供装置によって現在提供されている提供中のコンテンツに関連するコンテンツ関連情報を、そのコンテンツが提供されている前記無線通信可能エリアに存在している前記情報通信端末に配信するコンテンツ関連情報配信手段と、を備える。
前記通信中継装置において、前記コンテンツが提供されている前記無線通信可能エリアに存在している前記情報通信端末に、前記コンテンツ関連情報の取得処理を開始させる処理開始要求を送信する処理開始要求送信手段を、更に備え、前記コンテンツ関連情報配信手段は、前記情報通信端末が前記処理開始要求を契機に当該通信中継装置における所定のアクセスポイントにアクセスしてきたとき、そのアクセスしてきた情報通信端末に前記コンテンツ関連情報を送信するように応答するものであってもよい。
また、前記通信中継装置において、前記コンテンツ関連情報配信手段は、前記コンテンツが提供されている前記無線通信可能エリアに存在していると判断した前記情報通信端末が当該通信中継装置における所定のアクセスポイントにアクセスしてきたとき、そのアクセスしてきた情報通信端末に前記コンテンツ関連情報を送信するように応答するものであってもよい。
また、前記通信中継装置において、前記コンテンツが提供されている前記無線通信可能エリアに存在している前記情報通信端末に配信する前記コンテンツ関連情報を記憶するコンテンツ関連情報記憶手段と、前記コンテンツ関連情報記憶手段に記憶されているコンテンツ関連情報を、前記コンテンツ提供装置によって現在提供されている提供中のコンテンツの提供内容の変化に応じて更新するコンテンツ関連情報更新手段と、を更に備えたことを特徴とするものである。
また、前記通信中継装置において、前記コンテンツ提供装置から前記コンテンツ提供エリアに現在提供されている提供中のコンテンツの変化に応じて、該提供中のコンテンツに対応するコンテンツ関連情報を情報配信サーバから受信するコンテンツ関連情報受信手段を、更に備えてもよい。
また、前記通信中継装置において、前記コンテンツが提供されている前記無線通信可能エリアに存在している前記情報通信端末に、前記コンテンツ関連情報の取得に用いるアプリケーションを起動させるための起動要求を送信する起動要求送信手段を、更に備えてもよい。
また、前記通信中継装置において、前記コンテンツ関連情報は、前記提供中のコンテンツの詳細情報を取得可能な複数の詳細情報取得先へのリンク情報を含んでもよい。
また、前記通信中継装置において、前記情報通信端末からのアクセスに関するアクセス情報を記憶するアクセス情報記憶手段と、前記コンテンツ関連情報を受信した前記情報通信端末が前記リンク情報に基づいて前記詳細情報取得先にアクセスしたとき、そのアクセスした前記詳細情報取得先の情報と、前記情報通信端末の識別情報又は前期情報通信端末の利用者の識別情報からなるアクセス元情報と、そのアクセスの日時情報とを取得するアクセス情報取得手段と、前記アクセス情報取得手段で取得した前記詳細情報取得先の情報と前記アクセス元情報と前記アクセスの日時情報とを互いに関連付けて前記アクセス情報記憶手段に保存するアクセス情報保存手段と、を更に備えてもよい。
また、前記通信中継装置において、前記アクセス情報に基づいて、前記情報通信端末に配信する前記コンテンツ関連情報における前記複数のリンク情報を変更するリンク情報変更手段を、更に備えてもよい。
また、前記通信中継装置において、前記コンテンツ関連情報は、前記提供中のコンテンツの詳細情報を取得するためのキーワードを入力可能なキーワード入力部を含むものであってもよい。
また、前記通信中継装置において、前記コンテンツ関連情報を受信した前記情報通信端末が前記キーワード入力部で入力されたキーワードに基づいて前記詳細情報取得先にアクセスしたとき、その入力されたキーワードの情報を取得するキーワード情報取得手段と、その取得したキーワードの情報を、前記コンテンツ関連情報のインデックスとして登録するインデックス登録手段と、を更に備えてもよい。
また、前記通信中継装置において、移動体通信ネットワークにおける通常の移動体通信のセルよりも狭い無線通信可能エリアで移動体通信端末と無線通信可能な小型の基地局又はイーサーネット（登録商標）等のＬＡＮ（Local Area Network）の無線アクセスポイントとして使用され前記情報通信端末によるＬＡＮの通信を中継する無線ルータ装置であってもよい。
【００１３】
本発明に係る情報通信端末は、携帯可能な情報通信端末であって、人間の感覚によって感知可能な経時的に変化するコンテンツが所定のエリア限定のコンテンツ提供エリアと同程度のエリアに設定された無線通信可能エリアに存在するとき、その無線通信可能エリアの通信中継装置を介して、前記コンテンツ提供エリアに向けてコンテンツ提供装置によって現在提供されている提供中の前記コンテンツに関連するコンテンツ関連情報を受信するコンテンツ関連情報受信手段と、前記受信したコンテンツ関連情報を出力するコンテンツ関連情報出力手段と、を備える。
前記情報通信端末において、前記通信中継装置を介して情報配信サーバから、前記コンテンツ関連情報の取得処理を開始させる処理開始要求を受信する処理開始要求受信手段と、前記受信した処理開始要求を契機に前記通信中継装置を介して前記情報配信サーバにアクセスするアクセス手段と、を更に備え、前記コンテンツ関連情報受信手段は、前記通信中継装置を介して前記情報配信サーバから前記コンテンツ関連情報を受信するものであってもよい。
また、前記情報通信端末において、前記コンテンツが提供されている前記無線通信可能エリアに当該情報通信端末が存在しているか否かを判断する判断手段と、前記無線通信可能エリアに存在していると判断したとき、前記通信中継装置を介して前記情報配信サーバにアクセスするアクセス手段と、を更に備え、前記コンテンツ関連情報受信手段は、前記通信中継装置を介して前記情報配信サーバから前記コンテンツ関連情報を受信するものであってもよい。
また、前記情報通信端末において、前記通信中継装置を介して前記情報配信サーバから、前記コンテンツ関連情報の取得に用いる所定のアプリケーションを起動させるための起動要求を受信する起動要求受信手段と、前記受信した起動要求に基づいて前記所定のアプリケーションを起動するアプリケーション起動手段と、を更に備えてもよい。
また、前記情報通信端末において、前記通信中継装置から、前記コンテンツ関連情報の取得処理を開始させる処理開始要求を受信する処理開始要求受信手段と、前記受信した処理開始要求を契機に前記通信中継装置の所定のアクセスポイントにアクセスするアクセス手段と、を更に備え、前記コンテンツ関連情報受信手段は、前記通信中継装置の所定のアクセスポイントから前記コンテンツ関連情報を受信するものであってもよい。
また、前記情報通信端末において、前記コンテンツが提供されている前記無線通信可能エリアに当該情報通信端末が存在しているか否かを判断する判断手段と、前記無線通信可能エリアに存在していると判断したとき前記通信中継装置の所定のアクセスポイントにアクセスするアクセス手段と、を更に備え、前記コンテンツ関連情報受信手段は、前記通信中継装置の所定のアクセスポイントから前記コンテンツ関連情報を受信するものであってもよい。
また、前記情報通信端末において、前記通信中継装置から、前記コンテンツ関連情報の取得に用いる所定のアプリケーションを起動させるための起動要求を受信する起動要求受信手段と、前記受信した起動要求に基づいて前記アプリケーションを起動するアプリケーション起動手段と、を更に備えてもよい。
また、前記情報通信端末において、前記コンテンツ関連情報を記憶するコンテンツ関連情報記憶手段と、前記コンテンツ関連情報記憶手段から読み出し前記出力手段で出力している出力中のコンテンツ関連情報と、前記情報配信サーバ又は前記通信中継装置から新規に受信したコンテンツ関連情報とが一致しているか否かを判断する判断手段と、前記出力中のコンテンツ関連情報と前記新規受信したコンテンツ関連情報とが一致していないときに、前記出力中のコンテンツ関連情報を前記新規受信したコンテンツ関連情報で更新する更新手段と、を更に備えてもよい。
また、前記情報通信端末において、前記コンテンツ関連情報を記憶するためのコンテンツ関連情報記憶手段と、前記コンテンツ関連情報記憶手段から読み出し前記出力手段で出力している出力中のコンテンツ関連情報の保存を指示する保存指示操作を受け付ける操作受付手段と、前記保存指示操作を受け付けたとき前記出力中のコンテンツ関連情報を前記情報記憶手段に保存する情報保存手段と、を更に備えてもよい。
【００１４】
本発明に係る情報アクセス支援方法は、携帯可能な情報通信端末を用いた情報へのアクセスを支援する情報アクセス支援方法であって、人間の感覚によって感知可能な経時的に変化するコンテンツを所定のエリア限定のコンテンツ提供エリアに向けて提供するステップと、前記コンテンツ提供エリアと同程度のエリアに設定された無線通信可能エリアの通信中継装置と前記無線通信可能エリアに存在している前記情報通信端末との間の無線通信を介して、前記コンテンツ提供装置によって現在提供されている提供中のコンテンツに関連するコンテンツ関連情報を、そのコンテンツが提供されている前記無線通信可能エリアに存在している前記情報通信端末に配信するステップと、を含む。
【００１５】
ここで、上記コンテンツを感知する人間の「感覚」は、例えば、視覚、聴覚、嗅覚等である。このような感覚で感知可能な「コンテンツ」としては、例えば、視覚で感知可能な静止画、動画、その他の画像のコンテンツ、聴覚で感知可能な歌、音楽、楽曲、その他の音のコンテンツ、視覚及び聴覚で感知可能な音を伴う映像（ビデオ）のコンテンツ、嗅覚で感知可能な香りのコンテンツが挙げられる。
【００１６】
また、上記「所定のエリア限定のコンテンツ提供エリア」は、人間が空間を介して直接的に感知可能な程度の広がりを持ったエリアである。例えば、音のコンテンツの場合、スピーカ等から出力されている歌、音楽等を、人間が空間を介して直接的に聴くことができる程度の広がりを持ったエリアである。画像や映像のコンテンツの場合、ディスプレイ等に表示して出力されている画像等を、人間が空間を介して直接的に見ることができる程度の広がりを持ったエリアである。
【００１７】
また、上記携帯可能な「情報通信端末」は、上記コンテンツ提供エリアと同程度のエリアに設定された無線通信可能エリアにおいて通信中継装置との間で無線通信可能な通信装置である。この「情報通信端末」としては、例えば、移動体通信ネットワークで使用可能な各種通信方式の携帯電話機、ＰＨＳ（Personal Handyphone System）、自動車電話機等の移動体通信端末や、イーサーネット（登録商標）等の無線ＬＡＮ（Local Area Network）の通信が可能な情報通信端末が挙げられる。更に、上記「情報通信端末」は、通信中継装置との間で無線通信可能な通信機能やコンテンツ出力機能を有するコンピュータ装置、カメラ、時計等の電子機器であってもよい。
【００１８】
また、上記コンテンツ関連情報の取得に用いるアプリケーションを起動させるための起動要求は、当該アプリケーションを起動させる情報通信端末を指定して送信してもよいし、上記無線通信可能エリアを指定し、そのエリアに存在する複数の情報通信端末に一斉に送信するようにしてもよい。例えば、送信先の情報通信端末の端末識別情報である電話番号（ＭＳＩＳＤＮ）を宛先としてＳＭＳ（Short Message Service）等で送受信されるメッセージや、送信先の情報通信端末に払い出されたＩＰアドレスを宛先としてＳＩＰ（Session Initiation Protocol）等で送受信されるメッセージ等を用い、そのＳＭＳメッセージにアプリケーション起動情報を付加して送信先の情報通信端末に送信するようにしてもよい。
【発明の効果】
【００１９】
本発明によれば、所定のエリア限定のコンテンツ提供エリアにおいて、人間の五感の少なくとも一つによって感知可能な経時的に変化するコンテンツが提供される。そして、このコンテンツ提供エリアと同程度のエリアには、通信中継装置が携帯型の情報通信端末と無線通信することができる無線通信可能エリアが設定されている。このコンテンツが提供されている無線通信可能エリア（コンテンツ提供エリア）に情報通信端末が存在すると、その情報通信端末と通信中継装置との間の無線通信により、当該無線通信可能エリアで現在提供されている提供中のコンテンツに関連するコンテンツ関連情報が、当該無線通信可能エリア内の情報通信端末に配信される。このように所定のエリア限定のコンテンツ提供エリアにおいて情報通信端末の利用者がコンテンツの提供を受けているとき、そのコンテンツ提供エリアで現在提供されている提供中のコンテンツに関連したコンテンツ関連情報を、当該情報通信端末に配信することができる。従って、情報通信端末の利用者がコンテンツの提供を受けているコンテンツ提供エリアにおいて現在提供中のコンテンツに関連した情報に簡易にアクセスすることができるという新規な情報アクセスが可能になる。
【発明を実施するための最良の形態】
【００２０】
以下、図面を参照しながら、本発明の実施の形態について説明する。
〔実施形態１〕
図１は、本発明の一実施形態に係る携帯型の情報通信端末を用いた情報アクセスの概要を示す説明図である。この実施形態の例は、情報通信端末としての携帯電話機等の移動体通信端末であるユーザ端末装置（ＵＥ：User Equipment）１０の利用者１が、そのユーザ端末装置１０を持って有線放送が流れている飲食店に入ったときの例である。この飲食店の内部のエリアは、利用者１が聴くことができる有線放送の楽曲のコンテンツが提供されているコンテンツ提供エリア９２０になっている。この有線放送の楽曲のコンテンツは、コンテンツ提供装置としての有線放送出力装置２０のスピーカーから、飲食店の内部のコンテンツ提供エリア９２０に向けて出力されている。コンテンツ提供エリア９２０に向けて出力されている楽曲のコンテンツの種類は、有線放送出力装置２０を操作して有線放送のチャネルを切り換えることによって変更することができる。また、有線放送出力装置２０から出力される楽曲のコンテンツの提供内容は経時的に変化する。すなわち、有線放送出力装置２０からは、通常、同じ楽曲のコンテンツが繰り返し出力されるのではなく、視聴者からのリクエストなどによって決定された互いに異なる複数種類の楽曲のコンテンツが順次出力される。
【００２１】
また、上記飲食店の内部のエリアには、移動体通信ネットワークの通信中継装置としての小型基地局３０が設置され、その小型基地局と飲食店の中に存在しているユーザ端末装置１０とが所定の周波数及び通信形式で無線通信可能な無線通信可能エリア９３０にもなっている。この無線通信可能エリア９３０は、上記コンテンツ提供エリア９２０と同程度の広さのエリアになっている。上記小型基地局３０は、移動体通信ネットワークにおいて屋外に設置されている通常の半径数百ｍ乃至数ｋｍ程度の広域エリアをカバーする広域の基地局とは異なり、無線通信可能距離が数十ｍ乃至数ｍ程度であり、店舗、オフィス、一般家庭等の屋内にも設置される。この小型基地局３０は、移動体通信ネットワークにおける広域の基地局がカバーするセルよりも小さなフェムトセルをカバーするように設けられるため、「フェムト基地局」と呼ばれる場合もある。
【００２２】
上記有線放送の楽曲が流れている飲食店に、利用者１がユーザ端末装置１０を持って入ると、そのときに店内に流れている有線放送の楽曲のコンテンツに関連したコンテンツ関連情報が、利用者１が持っているユーザ端末装置１０に配信されて表示される。このユーザ端末装置１０に表示されるコンテンツ関連情報は、例えば、店内に流れている楽曲の曲名、アーティスト名、作詞者、作曲者、当該楽曲が格納された市販メディアのジャケット画像、当該楽曲の購入先のリンク情報、当該アーティスト等の他の作品へのリンク情報、当該楽曲のプロモーションビデオ等の情報である。
【００２３】
図２は、上記コンテンツ関連情報をユーザ端末装置に配信することができる情報配信システムの一構成例を示すブロック図である。この情報配信システムは、上記コンテンツ提供装置としての有線放送出力装置２０と、上記通信中継装置としての小型基地局３０とを用いて構成される。
【００２４】
上記有線放送出力装置２０は、例えば、ＣＰＵ、半導体メモリ等の内部記憶装置、ハードディスク等の外部記憶装置、アンプ装置、通信処理装置、スピーカー等のハードウェアで構成され、内部記憶装置又は外部記憶装置に記憶されている所定のプログラムを読み出しＣＰＵで実行することにより、次の各部の機能を実現することができる。この有線放送出力装置２０は、主制御部２０１と有線放送受信部２０２と操作部２０３とチャネル選択部２０４とデータ記憶部２０５と音出力部２０６と外部接続通信部２０７とを備える。主制御部２０１は、上記有線放送受信部２０２等の他の各部と制御データ等を送受信することにより各部を制御する。上記有線放送受信部２０２は、所定の通信回線を介して、有線放送のコンテンツ管理サーバとしての有線放送センター２５から有線放送の信号を受信する。この有線放送の通信回線としては、例えば、有線の通信回線のほか、ＣＳ（通信衛星）等による衛星回線を用いることもできる。上記操作部２０３はユーザが操作可能な操作ボタン等で構成され、店内で流す有線放送のチャネルを選択するとき等に操作される。上記チャネル選択部２０４は、有線放送受信部２０２で受信される有線放送の信号について、操作部２０３の操作で指定されたチャネルを選択するように処理する。上記データ記憶部２０５は、チャネル選択部２０４で選択可能なチャネル番号、店内に現在出力している出力中の楽曲のチャネル番号等の有線放送のチャネル情報や、出力中の楽曲の楽曲情報を記憶する。上記音出力部２０６は、チャネル選択部２０４で選択されたチャネル番号で送られてきた有線放送の信号を所定のレベルまで増幅し、スピーカー２０６ａから出力する。上記外部接続通信部２０７は、ＵＳＢ（Universal Serial Bus）、Ethernet（登録商標）等の有線回線や、Bluetooth、Ｗｉ−Ｆｉ、赤外線等の無線回線等の通信回線を介して、小型基地局３０と通信し、上記出力中の楽曲のチャネル情報や楽曲情報を小型基地局３０に送信する通信処理を実行する。
【００２５】
上記小型基地局３０は、例えば、ＣＰＵ、半導体メモリ等の内部記憶装置、ハードディスク等の外部記憶装置、通信処理装置、アンテナ等のハードウェアで構成され、内部記憶装置又は外部記憶装置に記憶されている所定のプログラムを読み出しＣＰＵで実行することにより、次の各部の機能を実現することができる。この小型基地局３０は、主制御部３０１と無線通信部３０２とデータ記憶部３０３と網側通信部３０４と外部接続部３０５とを備える。主制御部３０１は、上記無線通信部３０２等の他の各部と制御データ等を送受信することにより各部を制御する。上記無線通信部３０２は、所定の周波数及び通信方式の無線通信によりユーザ端末装置１０と通信することができる。ユーザ端末装置１０は、この無線通信により、移動体通信ネットワーク側と電話やデータ通信等を行うことができる。上記データ記憶部３０３は、ユーザ端末装置１０と移動体通信ネットワーク側との間の通信を中継するための各種情報や、店内においてユーザ端末装置１０に配信するための上記楽曲情報を記憶する。上記網側通信部３０４は、光ファイバ、ＡＤＳＬ、Ethernet（登録商標）ケーブル等の通信回線を介して、移動体通信ネットワークのコアネットワークを構成する交換器等と通信する通信処理を実行する。この網側通信部３０４により、移動体通信ネットワーク上の情報配信サーバ等の各種サーバやノードと通信することもできる。上記外部接続部３０５は、ＵＳＢ（Universal Serial Bus）、Ethernet（登録商標）等の有線回線や、Bluetooth（登録商標）、Ｗｉ−Ｆｉ（Wireless Fidelity）、赤外線等の無線回線等の通信回線を介して、有線放送出力装置２０と通信し、上記出力中の楽曲のチャネル情報や楽曲情報を有線放送出力装置２０から受信する通信処理を実行する。ここで、Ｗｉ−Ｆｉは、ＩＥＥＥ(米国電気電子学会)の規格「IEEE 802.11a/IEEE 802.11b」で策定された無線ＬＡＮ（Local Area Network）の標準規格である。
【００２６】
また、上記有線放送出力装置２０と小型基地局３０との間の通信は、例えば、ＤＬＮＡ（デジタルリビングネットワークアライアンス）と呼ばれる団体が策定した通信規格で通信するようにしてもよい。
【００２７】
図３はユーザ端末装置１０の一構成例を示す外観図であり、図４は、そのユーザ端末装置１０のハードウェア構成の一例を示す概略構成図である。ユーザ端末装置１０は、システムバス１００、プロセッサとしてのＣＰＵ１０１、ＲＡＭ１０２やＲＯＭ１０３等の記憶装置、入力装置１０４、出力装置１０５、移動体通信ネットワーク側と無線通信する無線通信装置１０６を備えている。ＣＰＵ１０１やＲＡＭ１０２等の構成要素は、システムバス１００を介して、互いに各種データやプログラムの命令等のやり取りを行っている。
【００２８】
上記ＣＰＵ１０１は、上記記憶装置から所定のプログラムを読み込んで実行することにより、ネイティブ側の電話機プラットフォームの基本ソフトＯＳ上で、音声通話機能や、アプリケーションソフト（以下「アプリケーション」という。）による各種機能を実現することができる。このアプリケーションによる機能としては、ＷＥＢブラウザー、メーラー、音楽再生、動画表示、外部装置とのデータ送受信、アドレス帳管理、スケジューラ、メモ帳等がある。このＷＥＢブラウザー、メーラー、音楽再生、動画表示等のアプリケーションを起動し、そのアプリケーション上で各種メッセージ（メール）の送受信を行ったり、受信したメッセージに含まれるテキストや画像（静止画、動画）コンテンツや音声や音楽等のオーディオコンテンツを出力したり、配信情報を出力したりすることができる。
【００２９】
上記入力装置１０４は、データ入力キー（テンキー、＊キー、＃キー）１１、通話開始キー１２、終話キー１３、スクロールキー１４、多機能キー１５、マイク１６等から構成されている。この入力装置１０４のテンキー１１、通話開始キー１２、終話キー１３等により、利用者が操作可能な操作部が構成される。この操作部を操作することにより、利用者は、各種メッセージを送受信したり、メッセージに添付されている画像ファイルを展開して表示したり、音楽ファイルを展開して再生したり、配信情報を出力したり、アプリケーションプログラムを選択して実行したりすることができる。また、利用者は上記操作部を操作することにより、情報取得先のＵＲＬ等のデータを入力したり、電話着信の際に通話の開始及び終了を行ったり、アプリケーションプログラムの選択、起動及び停止を行ったりすることができる。また、利用者は上記操作部を操作することにより、通信ネットワーク上のサーバから画像ファイル、音楽ファイル、アプリケーションプログラム等のコンテンツをダウンロードして登録することができる。
【００３０】
上記出力装置１０５は、表示手段である液晶ディスプレイ（ＬＣＤ）１７、スピーカー１８、図示しない振動デバイス等から構成されている。上記液晶ディスプレイ（ＬＣＤ）１７やスピーカー１８等からなる出力装置で構成されている出力部は、移動体通信ネットワーク側から各種メッセージ及び配信情報やその着信通知を受信した旨を利用者に知らせたり、各種テキストや画像（静止画、動画）を液晶ディスプレイ（ＬＣＤ）１７に表示したり、各種音声や音楽をスピーカー１８から出力したりするときに用いられる。上記受信した配信情報、メッセージ及びそれらの着信通知の受信を利用者に知らせるときは、出力部の液晶ディスプレイ（ＬＣＤ）１７に着信報知画像を表示したり、スピーカー１８から着信音を出力させたりする。
また、上記出力部は、移動体通信網２０を介して受信した配信情報やＷＥＢページのコンテンツを液晶ディスプレイ（ＬＣＤ）１７に表示したり、移動体通信ネットワークから配信情報等を着信した旨を利用者に知らせたりするときにも用いられる。また、上記出力部は、上記ゲーム等のアプリケーションプログラムの実行中に、そのプログラム実行に関連した画像の表示や音の出力に用いたり、情報配信サーバから受信した情報を表示したりするときにも用いられる。
なお、上記スピーカー１８は、通話中の音声を聞くための受話器用スピーカー（レシーバ）と、着信音や音楽などを出力する外部出力用スピーカーとを別々に設けて構成してもいいし、これらの受話器用スピーカー及び外部出力用スピーカーを兼用するように一つのスピーカーで構成してもよい。
【００３１】
上記出力装置１０５を構成する振動デバイスは、この振動デバイスは、マナーモード（サイレントモード）設定時などに音声電話を着信したりメッセージや各種配信情報を受信したりしたときに、ユーザ端末装置１０の全体を振動させ、その着信等を利用者に知らせるように制御することができる。
【００３２】
上記無線通信装置１０６は、変復調器、シンセサイザ、周波数変換器，高周波増幅器などにより構成され、上記小型基地局３０等の各種基地局と所定の周波数及び通信方式で無線通信を行い、移動体通信ネットワークを介して他のユーザ端末装置や各種サーバ等と通信するときに用いられる。この無線通信装置１０６は、移動体通信ネットワークを介して他のユーザ端末装置とＭＭＳメッセージのやり取りを行ったり、移動体通信ネットワーク２０からゲートウェイサーバを介して、インターネット等の外部の通信ネットワークに接続し、インターネット上の通信端末との各種メッセージのやり取り等を行ったりするための通信手段としても用いられる。更に、この無線通信装置１０６は、移動体通信ネットワークを介して、ダウンロードサーバが提供するアプリケーションプログラムをダウンロードしたり、現在位置の位置情報を含む配信情報を受信したりする情報受信手段としても用いられる。
【００３３】
なお、上記ユーザ端末装置１０から上記小型基地局３０にアクセスして配信情報を取得してディスプレイに表示するときのアプリケーションとしては、いわゆる「Ａｊａｘ」（Asynchronous JavaScript + XML）と呼ばれるＷＥＢブラウザーのアプリケーション技術を用いてもよい。この「Ａｊａｘ」というアプリケーション技術では、XMLHttpRequest（ＨＴＴＰ通信を行うためのJavaScriptの組み込みクラス）による非同期通信を利用し、通信結果に応じてダイナミックＨＴＭＬで動的にＷＥＢページの一部を書き換えることができる。この「Ａｊａｘ」は、後述のユーザ端末装置１０から情報配信サーバ５０にアクセスして配信情報を取得表示する場合にも用いることができる。
【００３４】
また、上記ユーザ端末装置１０は、利用者が移動体通信ネットワーク上のサーバからアプリケーションのプログラムをダウンロードして登録し、その登録済みのアプリケーションをユーザが任意に選択して実行可能に構成してもよい。この利用者が選択実行可能なアプリケーションとして、後述の楽曲情報を受信して表示するための配信情報受信用のアプリケーションを登録しておいてもよい。
【００３５】
図５は、上記アプリケーションの登録及び選択実行ができるように構成したユーザ端末装置１０におけるソフトウェア構造の一例を示す説明図である。上記ＣＰＵ１０１は、上記記憶装置から所定のプログラムを読み込んで実行することにより、上記ネイティブ側の電話機プラットフォームとは異なるアプリケーション実行環境を構築することができる。そして、このアプリケーション実行環境上で、ユーザ端末装置にプリインストールされているアプリケーションや利用者がダウンロードして登録したアプリケーション等の各種アプリケーションを実行することができる。このアプリケーションとしては、プラットフォームに依存しないオブジェクト指向プログラミングによって開発されたＪＡＶＡ（登録商標）、Ｃ＋＋等のプログラム言語で記述されたアプリケーションや、Ｃ言語やアセンブリ言語で記述されたアプリケーションなどが挙げられる。また、これらのアプリケーション実行環境は、例えばＪＡＶＡ（登録商標）の仮想マシン（ＶＭ：Virtual Machine）やＢＲＥＷ（登録商標）等のミドルウェアによって構築される。
【００３６】
図６は、飲食店の店内で流れている有線放送の楽曲コンテンツに関連した楽曲情報を店内の利用者のユーザ端末装置に配信する処理手順の一例を示すシーケンス図である。なお、図中のかっこ内の数字は処理手順のステップの順番を示している（以下のシーケンス図でも同様。）。この例では、上記有線放送出力装置２０及び上記小型基地局３０が飲食店の店内に設けられ、その店内のお客が位置する可能性があるエリアが、有線放送出力装置２０によるコンテンツ提供エリア９２０及び小型基地局３０による無線通信可能エリア９３０になっている。
【００３７】
図６において、有線放送出力装置２０から出力している有線放送の楽曲が変更されると（Ｓ１）、その変更後の楽曲に関する曲名、アーティスト名等の楽曲情報が小型基地局３０に通知される（Ｓ２）。この楽曲情報の通知は、例えば、有線放送出力装置２０における楽曲変更のイベントを契機として有線放送出力装置２０が小型基地局３０との通信回線を確立し、有線放送出力装置２０から小型基地局３０に変更後の楽曲の楽曲情報を送信するように行うことができる。また、小型基地局３０が所定のタイミングに有線放送出力装置２０との間で通信回線を確立し、有線放送出力装置２０が小型基地局３０からの取得要求に応答するように、現在出力中の楽曲（変更後の楽曲）の楽曲情報を送信するようにしてもよい。小型基地局３０は、有線放送出力装置２０から受信した楽曲情報をデータ記憶部３０３に保存する。
【００３８】
利用者がユーザ端末装置１０を持って、有線放送出力装置２０から有線放送の楽曲が流れている店内に入ると、当該利用者のユーザ端末装置１０が店内の無線通信可能エリア（フェムトセル）９３０に入ったことを検知し（Ｓ３）、位置登録を実行する（Ｓ４）。この位置登録は、例えば、ユーザ端末装置１０から小型基地局３０を介して移動体通信ネットワーク上の位置登録サーバ（例えばＨＬＲ：ホームロケーションレジスタ）６０に位置登録要求を送信することにより実行される。
【００３９】
次に、ユーザ端末装置１０は、上記店内の無線通信可能エリア（フェムトセル）９３０への在圏の検知に基づき、情報配信を受けるための配信情報受信用アプリケーションが起動し、ディスプレイ１７の表示画面が通常の待ち受け画面から配信情報受信用アプリケーションの画面に遷移する（Ｓ５）。次に、ユーザ端末装置１０は、基地局３０の所定のアクセスポイントにアクセスし、店内に現在流れている楽曲の楽曲情報を取得するための取得要求を送信する（Ｓ６）。小型基地局３０は、ユーザ端末装置１０からの取得要求に応じて、データ記憶部３０３から楽曲情報を読み出して当該ユーザ端末装置１０に送信するように応答する（Ｓ７）。ユーザ端末装置１０は、小型基地局３０から受信した楽曲情報をディスプレイ１７に表示する（Ｓ８）。
【００４０】
なお、上記図６の例において、上記無線通信可能エリア９３０に在圏するときの上記楽曲情報の取得及び表示の処理は、利用者がユーザ端末装置１０を継続して操作している場合のみ行うようにしてもよい。例えば、利用者がユーザ端末装置１０を一定期間操作しないとディスプレイの画面を消灯するようにユーザ端末装置１０を制御することがある。この画面消去が発生することなく利用者がユーザ端末装置１０を継続して操作している場合は、利用者がディスプレイの画面を見ていると考えられるため、上記楽曲情報の取得及び表示の処理を所定のタイミング（予め設定した所定の時間間隔）に実行する。そして、利用者がユーザ端末装置１０を一定期間操作しないでディスプレイの画面が消灯している場合は、利用者がディスプレイの画面を見ていないと考えられるため、上記楽曲情報の取得及び表示の処理を実行しないようにする。その後、利用者が再びユーザ端末装置１０を継続して操作し始めた場合は、そのキー操作の直後に上記楽曲情報の取得及び表示の処理を実行する。そして、その後は、所定のタイミング（予め設定した所定の時間間隔）で上記楽曲情報の取得及び表示の処理を実行するようにしてもよい。以上のように楽曲情報の取得及び表示の処理を制御することにより、店内で現在流れている有線放送の楽曲の楽曲情報を、利用者がユーザ端末装置１０を継続して操作している間だけ効率的に表示することができる。また、上記無線通信可能エリア９３０にユーザ端末装置１０が在圏するときの上記楽曲情報の取得及び表示の処理は、小型基地局３０からのＰｕｓｈ型の配信技術によりユーザ端末装置１０に配信してもよいし、前述のＡｊａｘ技術によりユーザ端末装置１０に配信するようにしてもよい。
【００４１】
また、店内に流れている楽曲の変更に伴ってユーザ端末装置１０のディプレイに表示される楽曲情報が順次切り換わるように更新される場合、利用者が特に保存を希望する楽曲情報については、その保存を指示するための所定の操作を利用者が行うことにより、その操作時に表示されていた楽曲情報をユーザ端末装置１０の記憶装置に保存するように制御してもよい。
【００４２】
また、利用者がユーザ端末装置１０を継続して操作しているときの上記楽曲情報の表示は、その操作に利用されるディスプレイ中央のメイン表示領域ではなく、そのメイン表示領域の上方又は下方の一部に設定された配信情報表示（ティッカー表示領域）にスクロール表示するように行ってもよい。
【００４３】
また、上記図６の例において、利用者がユーザ端末装置１０を持って飲食店から出て無線通信可能エリア（フェムトセル）９３０の圏外になったときには、上記楽曲情報を受信して表示する情報配信用アプリケーションを停止し、ディスプレイの画面を通常の待ち受け画面に切り換えるように制御してもよい。
【００４４】
以上、本実施形態の図６の例によれば、利用者がユーザ端末装置１０を持って飲食店に入ると、その店内で現在流れている有線放送の楽曲に関するコンテンツ関連情報としての曲名、アーティスト名などの楽曲情報が、キーワード等の入力を行うことなく、ユーザ端末装置１０のディスプレイに自動表示される。
【００４５】
図７は、飲食店の店内で流れている有線放送の楽曲コンテンツに関連した楽曲情報を店内の利用者のユーザ端末装置に配信する他の処理手順の例を示すシーケンス図である。この例では、小型基地局３０から受信した楽曲情報が、店内で現在流れている楽曲に関する詳細情報をＷＥＢサーバ７０から取得するためのリンク情報を含んでいる場合を示している。なお、図６と同様な処理手順については、説明を省略する。
【００４６】
図７の例において、ユーザ端末装置１０が、店内で現在流れている有線放送の楽曲の楽曲情報を小型基地局３０から受信してディスプレイに表示した（Ｓ１〜Ｓ８）後、そのユーザ端末装置１０の利用者は、楽曲情報内に表示されている詳細情報を取得するための複数のリンク部のいずれかを選択するようにユーザ端末装置１０を操作することができる（Ｓ９）。この複数のリンク部には、当該楽曲に関する詳細情報を取得可能なサイトにアクセスするための接続先の情報（例えば、ＵＲＬ）がリンクされている。この詳細情報は、例えば、店内で現在流れている有線放送の楽曲の試聴対象あるいは購入対象の音楽データをダウンロード可能なサイトの情報、当該楽曲のアーティストの詳細情報、当該楽曲が収録されている音楽ＣＤのレーベルに関する情報、その音楽ＣＤを購入することができるオンラインショッピング情報などである。
【００４７】
次に、ユーザ端末装置１０の利用者が、楽曲情報内の詳細情報のリンク部のいずれかを選択すると、ユーザ端末装置１０は、利用者によって選択されたリンク部にリンクされている接続先のＷＥＢサーバ７０にアクセスし、当該リンク部に対応する詳細情報を取得するための取得要求を送信する（Ｓ１０）。ＷＥＢサーバ７０は、ユーザ端末装置１０からの取得要求に応じて、要求された詳細情報を含むＷＥＢページのデータを当該ユーザ端末装置１０に送信するように応答する（Ｓ１１）。ユーザ端末装置１０は、ＷＥＢサーバ７０から受信した当該楽曲に関する詳細情報をディスプレイ１７に表示する（Ｓ１２）。例えば、ユーザ端末装置１０は、当該楽曲の試聴対象あるいは購入対象の音楽データをダウンロード可能なＷＥＢページ、当該楽曲のアーティストのＷＥＢページ、当該楽曲が収録されている音楽ＣＤのレーベルのＷＥＢページ、その音楽ＣＤを購入することができるオンラインショッピングのＷＥＢページ等を受信してディスプレイ１７に表示することができる。ユーザ端末装置１０の利用者は、ＷＥＢサーバ７０から受信した当該楽曲に関する詳細情報に基づいて、更に他のサイトにアクセスして他の情報を取得したり、ＷＥＢページ上で音楽ＣＤの購入やダウンロードによる音楽データの購入の手続を進めたりしてもよい。
【００４８】
以上、本実施形態の図７の例によれば、利用者が飲食店の店内に設置されている小型基地局３０から、その店内で現在流れている有線放送の楽曲の楽曲情報を受信した後、その楽曲情報にリンクされている複数のリンク部を選択して指定することにより、当該楽曲について更に詳細な情報を取得することができる。
【００４９】
なお、上記図７の例では、楽曲情報にリンクされている複数のリンク部を選択して指定することにより、当該楽曲について更に詳細な情報を取得しているが、上記楽曲情報にキーワード入力部を設けておき、そのキーワード入力部から利用者が入力したキーワードに基づいて検索した詳細情報を所定のＷＥＢサーバから取得するようにしてもよい。更に、このキーワードの入力を用いる場合、小型基地局３０は、入力されたキーワードの情報を取得し、その取得したキーワードの情報を配信対象の楽曲情報のインデックスとして登録してもよい。このように利用者が詳細情報を取得する際に入力したキーワードを、配信対象の楽曲情報のインデックス情報として登録していくことにより、利用者が必要とする情報の判断の精度を高め、効率よく情報を配信することができる、利用者参加型の情報配信サービスを実現することができる。
【００５０】
〔実施形態２〕
図８は、本発明の他の実施形態に係る携帯型のユーザ端末装置を用いた情報アクセスの概要を示す説明図である。本実施形態において、小型基地局３０は、ユーザ端末装置１０に配信する楽曲情報を、有線放送出力装置２０から取得するのではなく、移動体通信ネットワーク上の情報配信サーバ５０から取得している。情報配信サーバ５０は、各店舗等に設置されている複数の有線放送出力装置２０を管理している有線放送センター４０から、各店舗等に設置されている小型基地局３０からユーザ端末装置１０に配信する配信対象の楽曲情報を取得している。なお、図１と共通する部分については説明を省略する。
【００５１】
図９は、本実施形態に係る情報配信システムを構成する有線放送センター４０及び情報配信サーバ５０の一構成例を示すブロック図である。この情報配信システムは、前述の有線放送出力装置２０及び小型基地局３０と、図９に示す有線放送センター４０及び情報配信サーバ５０とを用いて構成される。なお、有線放送出力装置２０及び小型基地局３０の構成は、前述の図２と同様であるので説明を省略する。
【００５２】
上記有線放送センター４０は、例えば、ＣＰＵ、半導体メモリ等の内部記憶装置、ハードディスク等の外部記憶装置、アンプ装置、音楽ＣＤ管理装置、放送信号送信装置、ネットワーク通信処理装置、リクエスト受付装置等のハードウェアで構成され、内部記憶装置又は外部記憶装置に記憶されている所定のプログラムを読み出しＣＰＵで実行することにより、次の各部の機能を実現することができる。この有線放送センター４０は、主制御部４０１と有線放送送信部４０２と放送コンテンツ管理部４０３と楽曲データベース部４０４と外部ネットワーク通信部４０５とを備える。主制御部４０１は、上記有線放送送信部４０２等の他の各部と制御データ等を送受信することにより各部を制御する。上記有線放送送信部４０２は、所定の複数チャネルからなる通信回線を介して複数の有線放送出力装置２０それぞれに、放送コンテンツ管理部４０３から順次読み出されて再生され、所定の信号レベルまで増幅された楽曲の放送信号を、所定の有線放送の通信回線を介して複数の有線放送出力装置２０それぞれに送信される。この楽曲の放送信号の送信は、複数種類のジャンルごとに設定された複数のチャネルにより、複数の楽曲の放送信号が各有線放送出力装置２０に同時送信するように行われる。この有線放送の通信回線としては、前述のように、例えば、有線の通信回線のほか、ＣＳ（通信衛星）等による衛星回線を用いることもできる。上記放送コンテンツ管理部４０３は、所定の再生プログラムによって再生することができる各種楽曲の音楽ファイルや、音楽ＣＤ管理装置から各種楽曲の音楽ＣＤをピックアップして再生するための情報が格納されている。上記楽曲データベース部４０４には、放送コンテンツ管理部４０３から読み出して放送信号として送信することができる各楽曲に関する曲名、アーティスト名等の楽曲情報が検索可能に保存されている。また、楽曲データベース部４０４は、各チャネルを介して有線放送出力装置２０に現在放送されている楽曲情報も保存されている。上記外部ネットワーク通信部４０５は、所定の通信回線を介して移動体通信ネットワーク上の情報配信サーバ５０等と通信するためのものである。
【００５３】
上記情報配信サーバ５０は、例えば、ＣＰＵ、半導体メモリ等の内部記憶装置、ハードディスク等の外部記憶装置、通信処理装置等のハードウェアで構成され、内部記憶装置又は外部記憶装置に記憶されている所定のプログラムを読み出しＣＰＵで実行することにより、次の各部の機能を実現することができる。この情報配信サーバ５０は、主制御部５０１とデータベース部５０２と網側通信部５０３と外部ネットワーク通信部５０４とを備える。主制御部５０１は、上記データベース部５０２等の他の各部と制御データ等を送受信することにより各部を制御する。上記データベース部５０２には、各小型基地局３０やユーザ端末装置１０に配信する楽曲情報などの配信情報が保存されている。上記網側通信部５０３は、光ファイバ、ＡＤＳＬ、Ethernet（登録商標）ケーブル等の通信回線を介して、移動体通信ネットワークにおける小型基地局３０や位置登録サーバ６０等の各種ノードと通信する通信処理を実行する。上記外部ネットワーク通信部５０４は、所定の通信回線を介して上記有線放送センター４０等と通信するためのものである。
【００５４】
図１０は、本実施形態において飲食店の店内で流れている有線放送の楽曲コンテンツに関連した楽曲情報を店内の利用者のユーザ端末装置に配信する処理手順の一例を示すシーケンス図である。この例では、飲食店の店内で流れている有線放送の楽曲に関する楽曲情報を小型基地局３０からではなく、通信ネットワーク上の情報配信サーバから取得している。なお、図６と同様な処理手順については、説明を省略する。
【００５５】
図１０において、有線放送センター５０から各有線放送出力装置２０に送信されている複数チャネルのいずれか有線放送の楽曲が変更され（Ｓ１）、各有線放送出力装置２０から出力している当該チャネルの有線放送の楽曲が変化すると（Ｓ２）、その変更後の楽曲に関する曲名、アーティスト名等の楽曲情報が、その放送チャネル情報とともに、有線放送センター４０から情報配信サーバ６０に通知される（Ｓ３）。この楽曲情報等の通知は、例えば、有線放送センター４０における放送楽曲の変更のイベントを契機として有線放送センター４０が情報配信サーバ５０との通信回線を確立し、有線放送センター４０から情報配信サーバ５０に変更後の楽曲の楽曲情報及びその放送チャネル情報を送信するように行うことができる。また、情報通信サーバ５０が所定のタイミング（例えば所定の時間間隔のタイミング）に有線放送センター４０との間で通信回線を確立し、有線放送センター４０が情報配信サーバ５０からの取得要求に応答するように、各放送チャネルについて現在出力中の楽曲（変更後の楽曲）の楽曲情報を送信するようにしてもよい。
【００５６】
次に、情報配信サーバ６０は、所定の通信プロトコルにより、当該有線放送出力装置２０が設置されている店舗等の小型基地局３０に上記変更後の楽曲に関する楽曲情報をそのチャネル情報とともに配信する。小型基地局３０は、有線放送出力装置２０から受信した楽曲情報をデータ記憶部３０３に保存する。この楽曲情報等の配信は、例えば、有線放送センター４０からの楽曲情報等の通知を受信する受信イベントを契機として、情報配信サーバ５０が小型基地局３０との通信回線を確立し、情報配信サーバ５０から小型基地局３０に変更後の楽曲の楽曲情報等を送信するように行うことができる。また、小型基地局３０が所定のタイミングに情報配信サーバ５０との間で通信回線を確立し、情報配信サーバ５０が小型基地局３０からの取得要求に応答するように、各放送チャネルについて現在出力中の楽曲（変更後の楽曲）の楽曲情報を送信するようにしてもよい。また、情報配信サーバ５０から小型基地局３０への楽曲情報などの配信には、例えば３ＧＰＰ（Third Generation Partnership Project）の標準規格で規定されている一斉送信サービス（ＭＢＭＳ：Multimedia Broadcast and Multicast Service）の技術を用いて送信してもよい。小型基地局３０は、情報配信サーバ５０から受信した楽曲情報及び放送チャンル情報を用いてデータ記憶部３０３内のデータを更新する。
【００５７】
また、有線放送出力装置２０から出力している有線放送の出力チャネルが変更された場合は（Ｓ５）、その変更後の出力チャネルの情報が小型基地局３０に通知される（Ｓ６）。小型基地局３０は、有線放送出力装置２０から受信した放送チャンル情報を用いてデータ記憶部３０３内のデータを更新する。なお、各有線放送出力装置２０で有線放送が出力されている出力チャネルを有線放送センター４０が把握している場合は、小型基地局３０は、有線放送出力装置２０における出力チャネルの情報を、有線放送センター４０から情報配信サーバを介して取得したり、又は、有線放送センター４０から直接取得したりしてもよい。
【００５８】
上記小型基地局３０は、上記有線放送センター４０から店内の有線放送出力装置２０に送信されている各放送チャネルの楽曲の楽曲情報と、その有線放送出力装置２０で現在選択されている放送チャネル情報とを有しているので、店内の有線放送出力装置２０で現在出力されている出力中の楽曲の楽曲情報を特定し、その特定した楽曲情報をデータ記憶部３０３から読み出して店内に存在するユーザ端末装置１０に送信することができる。
【００５９】
図１０におけるステップＳ７〜Ｓ１２の処理は、図６におけるステップＳ３〜Ｓ８と同様であるので、説明を省略する。
【００６０】
以上、本実施形態の図１０の例によれば、利用者がユーザ端末装置１０を持って飲食店に入ると、その店内で現在流れている有線放送の楽曲に関するコンテンツ関連情報としての曲名、アーティスト名などの楽曲情報が、キーワード等の入力を行うことなく、ユーザ端末装置１０のディスプレイに自動表示される。特に、本例によれば、ユーザ端末装置１０に送信する楽曲情報を有線放送出力装置２０からではなく、情報配信サーバ５０を介して有線放送センター４０から取得しているので、楽曲情報を有線放送出力装置２０に保存しておく必要がない。
【００６１】
なお、上記図８〜図１０の実施形態では、店内で現在流れている有線放送の楽曲に関する楽曲情報を、店内にある小型基地局３０から取得しているが、次の図１１及び図１２に示すように移動体通信ネットワーク上の情報配信サーバ５０から取得するようにしてもよい。
【００６２】
図１１は、飲食店の店内で流れている有線放送の楽曲コンテンツに関連した楽曲情報を情報配信サーバから店内の利用者のユーザ端末装置に配信する場合の処理手順の一例を示すシーケンス図である。なお、図６及び図１０と同様な処理手順については説明を省略する。
図１１の例では、有線放送センター５０から各有線放送出力装置２０に送信されている複数チャネルのいずれか有線放送の楽曲が変更され（Ｓ１）、各有線放送出力装置２０から出力している当該チャネルの有線放送の楽曲が変化したとき（Ｓ２）、その変更後の楽曲に関する楽曲情報がその放送チャネル情報とともに、有線放送センター４０から情報配信サーバ６０に通知される（Ｓ３）。但し、上記楽曲情報は小型基地局３０に保存しておく必要がないので、情報配信サーバ６０から小型基地局３０への上記楽曲情報の配信は行われない。
【００６３】
図１１において、利用者がユーザ端末装置１０を持って、有線放送出力装置２０から有線放送の楽曲が流れている店内に入ると、前述の在圏検知、位置登録及び所定のアプリケーションの起動（Ｓ６〜Ｓ８）の後、ユーザ端末装置１０は、基地局３０の所定のアクセスポイントにアクセスし、店内に現在流れている楽曲の出力チャネルの情報を取得するための取得要求を送信する（Ｓ９）。小型基地局３０は、ユーザ端末装置１０からの取得要求に応じて、データ記憶部３０３から出力チャネル情報を読み出して当該ユーザ端末装置１０に送信するように応答する（Ｓ１０）。次に、ユーザ端末装置１０は、情報配信サーバ５０の所定のアクセスポイント（ＵＲＬ）にアクセスし、店内に現在流れている楽曲の楽曲情報を取得するための取得要求を上記出力チャネル情報とともに送信する（Ｓ１１）。情報配信サーバ５０は、ユーザ端末装置１０からの取得要求に応じて、データベース部５０２から楽曲情報を読み出して当該ユーザ端末装置１０に送信するように応答する（Ｓ１２）。ユーザ端末装置１０は、情報配信サーバ５０から受信した楽曲情報をディスプレイ１７に表示する（Ｓ１３）。
【００６４】
図１２は、飲食店の店内で流れている有線放送の楽曲コンテンツに関連した楽曲情報を情報配信サーバから店内の利用者のユーザ端末装置に配信する他の処理手順の例を示すシーケンス図である。なお、図６及び図１０と同様な処理手順については説明を省略する。
図１２の例では、有線放送センター５０から各有線放送出力装置２０に送信されている複数チャネルのいずれか有線放送の楽曲が変更され（Ｓ１）、各有線放送出力装置２０から出力している当該チャネルの有線放送の楽曲が変化したとき（Ｓ２）、その変更後の楽曲に関する楽曲情報が、その放送チャネル情報とともに、有線放送センター４０から情報配信サーバ６０に通知される（Ｓ３）。また、有線放送出力装置２０から出力している有線放送の出力チャネルが変更されたときには、その有線放送出力装置２０の変更後の出力チャネルの情報も、有線放送センター４０から情報配信サーバ６０に通知される。情報配信サーバ６０は、有線放送センター４０から受信した各放送チャネルの楽曲情報と、各有線放送出力装置２０の出力チャネル情報とを用いて、データベース部５０２内のデータを更新する。但し、図１２の例において、上記楽曲情報等は小型基地局３０に保存しておく必要がないので、情報配信サーバ６０から小型基地局３０への配信は行われない。
【００６５】
図１２において、利用者がユーザ端末装置１０を持って、有線放送出力装置２０から有線放送の楽曲が流れている店内に入ると、当該利用者のユーザ端末装置１０が店内の無線通信可能エリア（フェムトセル）９３０に入ったことを検知し（Ｓ４）、位置登録サーバ６０に対して位置登録を実行する（Ｓ５）。また、このユーザ端末装置１０が店内の無線通信可能エリア（フェムトセル）９３０に入ったことを示す位置情報は、位置登録サーバ６０から情報配信サーバ５０に通知される（Ｓ６）。このユーザ端末装置１０の位置情報は、当該ユーザ端末装置１０の識別情報と関連付けてデータベース部５０２に保存される。
【００６６】
次に、ユーザ端末装置１０は、所定のアプリケーションの起動（Ｓ７）の後、小型基地局３０を介して、情報配信サーバ５０の所定のアクセスポイント（ＵＲＬ）にアクセスし、店内に現在流れている楽曲の楽曲情報を取得するための取得要求を送信する（Ｓ８）。情報配信サーバ５０は、ユーザ端末装置１０からの取得要求に応じて、当該店内の有線放送出力装置２０の現在の出力チャネルに対応する楽曲情報をデータベース部５０２から読み出し、当該ユーザ端末装置１０に送信するように応答する（Ｓ９）。ユーザ端末装置１０は、情報配信サーバ５０から受信した楽曲情報をディスプレイ１７に表示する（Ｓ１０）。
【００６７】
また、上記図１〜図１２の実施形態では、ユーザ端末装置１０が店内の無線通信可能エリア（フェムトセル）９３０への在圏を検知したときに、配信情報受信用アプリケーションを自律的に起動しているが、移動体通信ネットワーク側から上記店内のユーザ端末装置１０に所定の起動要求を送信して配信情報受信用アプリケーションを起動するようにしてもよい。
【００６８】
図１３は、情報配信サーバからの起動要求に基づいて配信情報受信用アプリケーションを起動し、飲食店の店内で流れている有線放送の楽曲コンテンツに関連した楽曲情報を情報配信サーバから店内の利用者のユーザ端末装置に配信する処理手順の一例を示すシーケンス図である。なお、図６、図１０及び図１２と同様な処理手順については説明を省略する。
【００６９】
図１３において、利用者がユーザ端末装置１０を持って、有線放送出力装置２０から有線放送の楽曲が流れている店内に入ると、当該利用者のユーザ端末装置１０が店内の無線通信可能エリア（フェムトセル）９３０に入ったことを検知し（Ｓ４）、位置登録サーバ６０に対して位置登録を実行する（Ｓ５）。また、このユーザ端末装置１０が店内の無線通信可能エリア（フェムトセル）９３０に入ったことを示す位置情報は、位置登録サーバ６０から情報配信サーバ５０に通知される（Ｓ６）。情報配信サーバ５０は、位置登録サーバ６０からの通知に基づいて、当該ユーザ端末装置１０の電話番号を宛先とするメッセージ（例えば、ＳＭＳ（Short Message Service）メッセージ）からなるアプリケーション起動要求を送信する（Ｓ７）。起動対象のアプリケーションを指定する情報や起動条件等の起動関連情報は、上記メッセージの本文やヘッダ部に記述することができる。ユーザ端末装置１０は、上記アプリケーション起動要求に基づいて、配信情報受信用アプリケーションを起動する（Ｓ８）。
【００７０】
なお、上記ユーザ端末装置１０に移動体通信ネットワーク上で識別可能なＩＰアドレスが付与されている場合は、そのＩＰアドレスを宛先とするＳＩＰ（Session Initiation Protocol）等によるメッセージをアプリケーション起動要求に用いてもよい。
【００７１】
〔実施形態３〕
図１４は、本発明の更に他の実施形態に係る携帯型のユーザ端末装置を用いた情報アクセスの概要を示す説明図である。本実施形態では、ユーザ端末装置１０の利用者が、そのユーザ端末装置１０を持って家庭等で無線放送であるテレビ放送を視聴しているときの例である。この場合、家庭等におけるテレビ放送を視聴しているエリアは、利用者が視聴できるテレビ放送のコンテンツが提供されているコンテンツ提供エリア９２０になっている。また、このテレビ放送のコンテンツは、コンテンツ提供装置としての無線放送出力装置であるテレビ装置２１の画面及びスピーカーから、その家庭等におけるコンテンツ提供エリア９２０に向けて出力されている。コンテンツ提供エリア９２０に向けて出力されている楽曲のコンテンツの種類は、テレビ装置２１を操作してテレビ放送のチャネルを切り換えることによって変更することができる。
【００７２】
また、上記家庭等におけるテレビ放送の視聴エリアには、前記実施形態と同様に、移動体通信ネットワークの通信中継装置としての小型基地局３０が設置され、その小型基地局とテレビ放送を視聴している利用者のユーザ端末装置１０とが所定の周波数及び通信形式で無線通信可能な無線通信可能エリア９３０にもなっている。
【００７３】
なお、図１４の実施形態における情報配信システムの構成及び処理手順等は、前述の図１〜図１３に示す実施形態と同様なものを採用することができる。この場合、前述の図１〜図１３における有線放送出力装置２０がテレビ装置２１に対応し、有線放送センター４０がテレビ放送局に対応する。
【００７４】
本実施形態によれば、利用者がユーザ端末装置１０を持ってテレビ放送を視聴しているとき、そのテレビ放送で現在流れているスポーツ、ニュース、ドラマ、クイズ番組等のテレビ放送コンテンツに関するコンテンツ関連情報（詳細情報）が、キーワード等の入力を行うことなく、ユーザ端末装置１０のディスプレイに自動表示される。上記コンテンツ関連情報としては、現在視聴しているスポーツの選手に関するプロフィールや過去の成績の情報、ニュースに関連した詳細情報やＷＥＢページのリンク情報、ドラマやクイズ番組の出演者の名前やそのプロフィール情報、等が挙げられる。
【００７５】
なお、上記図１４の実施形態は、テレビ放送を視聴して場合の実施形態であるが、本発明は、利用者がユーザ端末装置１０を持ってラジオ放送を聴いている場合も同様に適用することができる。
【００７６】
〔実施形態４〕
図１５は、本発明の更に他の実施形態に係る携帯型のユーザ端末装置を用いた情報アクセスの概要を示す説明図である。本実施形態では、ユーザ端末装置１０の利用者が、そのユーザ端末装置１０を持って電車に乗っているときに、その電車内にあるディスプレイ２２を見ているときの例である。この場合、上記ディスプレイ２２をみることができる電車内のエリアは、ディスプレイ２２によるニュース、広告、地域情報等のコンテンツが提供されているコンテンツ提供エリア９２０になっている。また、このディスプレイ２２で提供されているニュース、広告、地域情報等のコンテンツは、当該ディスプレイと通信回線を介して通信可能な図示しないコンテンツ管理センターから所定のタイミングで変更することができる。
【００７７】
また、上記ディスプレイ２２をみることができる電車内のエリアには、前記実施形態と同様に、移動体通信ネットワークの通信中継装置としての小型基地局３０が設置され、その小型基地局と上記ディスプレイ２２を見ている利用者のユーザ端末装置１０とが所定の周波数及び通信形式で無線通信可能な無線通信可能エリア９３０にもなっている。
【００７８】
なお、図１５の実施形態における情報配信システムの構成及び処理手順等は、前述の図１〜図１３に示す実施形態と同様なものを採用することができる。この場合、前述の図１〜図１３における有線放送出力装置２０が電車内のディスプレイ２２に対応し、有線放送センター４０が上記コンテンツ管理センターに対応する。
【００７９】
本実施形態によれば、利用者がユーザ端末装置１０を持って電車に乗っているとき、その電車内に設置されているディスプレイ２２で現在流れているニュース、広告、地域情報等のコンテンツに関するコンテンツ関連情報（詳細情報）が、キーワード等の入力を行うことなく、ユーザ端末装置１０のディスプレイに自動表示される。
【００８０】
なお、上記図１５の実施形態は、ニュースや広告を表示するディスプレイ２２が電車内に設置されている場合の実施形態であるが、本発明は、電車以外の交通機関の車両内に上記ディスプレイ２２が設置されている場合も同様に適用することができる。
【００８１】
また、本発明は、通常の道路を移動可能なトラック等の車両の外壁面に上記ニュース、広告、地域情報などを表示するコンテンツ提供装置としてのディスプレイを設けた場合も同様に適用することができる。このディスプレイを備えた車両には、前述の小型基地局３０も設けられる。このようなディスプレイ及び小型基地局を備えた車両は、任意の場所に移動し、その車両のディスプレイにニュース、広告、地域情報等の各種情報を表示することができる。そして、ディスプレイに表示されている各種コンテンツに関連した詳細情報等のコンテンツ関連情報を、そのディスプレイを見ている利用者のユーザ端末装置１０に配信して自動表示させることができる。この場合も、ディスプレイに表示されているコンテンツが変更になると、それに応じてユーザ端末装置１０に自動表示されるコンテンツ関連情報も切り換わる。
【００８２】
また、本発明は、屋外の公園やビル外壁面等に上記ニュース、広告、地域情報などを表示するコンテンツ提供装置としての屋外ディスプレイを固定配置した場合も同様に適用することができる。この固定の屋外ディスプレイの近くには、前述の小型基地局３０も設けられる。このような屋外ディスプレイにニュース、広告、地域情報等の各種情報を表示するとともに、その屋外ディスプレイに表示されている各種コンテンツに関連した詳細情報等のコンテンツ関連情報を、その屋外ディスプレイを見ている利用者のユーザ端末装置１０に配信して自動表示させることができる。この場合も、屋外ディスプレイに表示されているコンテンツが変更になると、それに応じてユーザ端末装置１０に自動表示されるコンテンツ関連情報も切り換わる。
【図面の簡単な説明】
【００８３】
【図１】実施形態に係る情報通信端末を用いた情報アクセスの概要を示す説明図。
【図２】同実施形態における情報配信システムの一構成例を示すブロック図。
【図３】ユーザ端末装置の一構成例を示す外観図。
【図４】ユーザ端末装置のハードウェア構成の一例を示す概略構成図。
【図５】アプリケーションの登録及び選択実行ができるように構成したユーザ端末装置におけるソフトウェア構造の一例を示す説明図。
【図６】飲食店の店内で流れている有線放送の楽曲コンテンツに関連した楽曲情報を店内の利用者のユーザ端末装置に配信する処理手順の一例を示すシーケンス図。
【図７】同楽曲情報を店内の利用者のユーザ端末装置に配信する他の処理手順の例を示すシーケンス図。
【図８】他の実施形態に係る携帯型のユーザ端末装置を用いた情報アクセスの概要を示す説明図。
【図９】同実施形態における情報配信システムを構成する有線放送センター及び情報配信サーバの一構成例を示すブロック図。
【図１０】同実施形態における楽曲情報を店内の利用者のユーザ端末装置に配信する処理手順の一例を示すシーケンス図。
【図１１】飲食店の店内で流れている有線放送の楽曲コンテンツに関連した楽曲情報を情報配信サーバから店内の利用者のユーザ端末装置に配信する場合の処理手順の一例を示すシーケンス図。
【図１２】同楽曲情報を情報配信サーバから店内の利用者のユーザ端末装置に配信する他の処理手順の例を示すシーケンス図。
【図１３】情報配信サーバからの起動要求に基づいて配信情報受信用アプリケーションを起動する場合の処理手順の一例を示すシーケンス図。
【図１４】更に他の実施形態に係る携帯型のユーザ端末装置を用いた情報アクセスの概要を示す説明図。
【図１５】更に他の実施形態に係る携帯型のユーザ端末装置を用いた情報アクセスの概要を示す説明図。
【符号の説明】
【００８４】
１  利用者
１０  ユーザ端末装置
２０  有線放送出力装置
３０  小型基地局
４０  有線放送センター
５０  情報配信サーバ
【図２】
0005135042.tif 000002
【図３】
0005135042.tif 000003
【図４】
0005135042.tif 000004
【図５】
0005135042.tif 000005
【図６】
0005135042.tif 000006
【図７】
0005135042.tif 000007
【図９】
0005135042.tif 000008
【図１０】
0005135042.tif 000009
【図１１】
0005135042.tif 000010
【図１２】
0005135042.tif 000011
【図１３】
0005135042.tif 000012
【図１５】
0005135042.tif 000013
【図１】
0005135042.tif 000014
【図８】
0005135042.tif 000015
【図１４】
0005135042.tif 000016